(57)【要約】      （修正有）【課題】雨天時でも表示装置が動作を安定的に継続できる表示システムを提供する。【解決手段】コントローラ４０は、受信部１が受信した天気予報情報に応じて、太陽電池１０から表示装置３０へ供給する電力と、蓄電池５０で蓄電させる電力の割合を変更する。また、雨天時または曇天時それに降水確率が所定値より高い場合は省エネモードで表示装置３０を運転する。【選択図】図２
2012118207.tif 000002
【特許請求の範囲】
【請求項１】
太陽電池と、
電力を蓄電する蓄電装置と、
コンテンツを表示する表示装置と、
前記太陽電池により得られた電力を前記表示装置および前記蓄電装置へ供給する制御を行うと共に、前記蓄電装置から前記表示装置への電力供給の制御を行うコントローラ装置と、
外部から天気予報情報を受信する受信部と、を備え、
前記コントローラ装置は、前記受信部が受信した天気予報情報に応じて、前記表示装置へ供給する電力と、前記蓄電装置で蓄電させる電力の割合を変更することを特徴とする表示システム。
【請求項２】
前記表示装置は、前記受信部が受信した天気予報情報に応じて、省エネルギーモードでの運転をするか否かを切替えることを特徴とする請求項１に記載の表示システム。
【発明の詳細な説明】
【技術分野】
【０００１】
本発明は、太陽電池を備えた屋外表示システムに関する。
【背景技術】
【０００２】
近年、デジタルサイネージと呼ばれる、表示と通信にデジタル技術を活用して平面ディスプレイ等によって映像や情報を表示する広告媒体が登場している。これらのサイネージ端末（広告媒体）は、バス停等の公共交通機関の停留所にも用いられている（特許文献１）。
【先行技術文献】
【特許文献】
【０００３】
【特許文献１】特開２００９−２９４２８４号公報（第３図）
【発明の概要】
【発明が解決しようとする課題】
【０００４】
サイネージ端末を駆動するには、当然に電力を供給する必要がある。屋外にサイネージ端末を設置する場合、電力線から電力の供給を受けてもよいが、環境負荷を考えるとサイネージ端末に太陽電池、蓄電池等を統合することにより、電力線からの電力を不要とするか、電力線からの電力供給を少なくすることが考えられる。
【０００５】
しかし、雨天時は太陽電池では発電できないから蓄電池から電力を供給させる必要がある。従って、雨天が長く続く場合、蓄電池の残量が減ってしまいサイネージ端末が動作を継続できないという問題がある。
【０００６】
上記問題点を鑑み、本発明は、雨天時でも表示装置が動作を安定的に継続できる表示システムを提供することを目的とする。
【課題を解決するための手段】
【０００７】
上記目的を達成するために本発明の表示システムは、太陽電池と、
電力を蓄電する蓄電装置と、
コンテンツを表示する表示装置と、
前記太陽電池により得られた電力を前記表示装置および前記蓄電装置へ供給する制御を行うと共に、前記蓄電装置から前記表示装置への電力供給の制御を行うコントローラ装置と、
外部から天気予報情報を受信する受信部と、を備え、
前記コントローラ装置は、前記受信部が受信した天気予報情報に応じて、前記表示装置へ供給する電力と、前記蓄電装置で蓄電させる電力の割合を変更する構成とする。
【０００８】
このような構成によれば、雨天時でも蓄電装置にコントローラ装置により多くの電力が予め供給されており、蓄電装置から電力供給を受ける表示装置が動作を安定的に継続できる。
【０００９】
また、本発明は上記構成において、前記表示装置は、前記受信部が受信した天気予報情報に応じて、省エネルギーモードでの運転をするか否かを切替える構成としてもよい。
【発明の効果】
【００１０】
本発明の表示システムによると、雨天時でも表示装置が動作を安定的に継続できる。
【図面の簡単な説明】
【００１１】
【図１】本発明の一実施形態に係る屋外表示システムの外観図である。
【図２】本発明の一実施形態に係る屋外表示システムのブロック図である。
【図３】コントローラの構成例を示す図である。
【図４】本発明に係る省エネルギー制御の一例を示すフローチャートである。
【図５】本発明に係る省エネルギー制御の他の一例を示すフローチャートである。
【発明を実施するための形態】
【００１２】
以下に本発明の実施形態を図面を参照して説明する。本発明の一実施形態に係る屋外表示システム１００の外観図を図１に示す。
【００１３】
図１に示す屋外表示システム１００は、太陽電池１０と、設置台２０と、表示装置３０と、を備えている。また、図１では図示していないが、表示装置３０の裏面側にはコントローラ４０および蓄電池５０が配される（後述する図２）。
【００１４】
太陽電池１０は、表示装置３０の上方に設けられる設置台２０に設置され、受光した太陽光を光電変換することにより発電を行う。太陽電池１０により得られた電力は、コントローラ４０を介して蓄電池５０に蓄えられる。蓄電池５０は、例えばリチウムイオンバッテリ（バッテリパック）である。
【００１５】
表示装置３０は、液晶パネル（ＬＣＤ）等の表示パネル５（後述する図２）を備えたＬＣＤディスプレイである。表示装置３０は、外部のコンテンツサーバや放送局などから受信したコンテンツ等を表示する。また、表示装置３０にはタッチパネル６（後述する図２）が備えられており、タッチパネル６に触れることで画面操作が可能となっている。
【００１６】
なお、本実施形態では、表示装置３０は、アンテナ（後述する図２の受信部１に含まれる）を備えており、コンテンツを無線により受信することができる。
【００１７】
屋外表示システム１００の構成を示すブロック図を図２に示す。図１とも説明が一部重複するが、屋外表示システム１００は、太陽電池１０と、表示装置３０と、コントローラ４０と、蓄電池５０と、を備えている。表示装置３０は、受信部１と、蓄積部２と、表示制御部３と、バックライト４と、表示パネル５と、タッチパネル６と、電源回路７と、制御部８とを有している。
【００１８】
コントローラ４０は、太陽電池１０が発電した電力を表示装置３０および蓄電池５０へ供給する。原則的に、コントローラ４０は、太陽電池１０が発電した電力の大部分をそのまま表示装置３０へ供給する。そして、余剰電力（太陽電池１０による発電電力と表示装置３０の消費電力の差分電力）を蓄電池５０へ供給する。また、夜間や雨天時は、コントローラ４０は、蓄電池５０から表示装置３０へ電力供給がなされるように制御する。即ち、蓄電池５０に蓄えられた電力は、コントローラ４０経由で表示装置３０へ伝送される。コントローラ４０の構成については後で詳述する。
【００１９】
制御部８は、例えばＣＰＵにより構成され、表示装置３０の各部に対する制御、各部の状態情報の収集を行う。また、収集した状態情報に応じて各部の制御を行う。
【００２０】
表示パネル５は、実際に画像の表示を行う部分であり、本実施形態の表示装置３０では液晶表示パネルが用いられている。液晶表示パネルは、表示する画像の内容に応じてパネルの各画素に対応する液晶がオン・オフ（またはその中間状態）駆動される。
【００２１】
バックライト４は、表示パネル５に白色光を照射する。バックライト４は、例えば冷陰極管（ＣＣＦＬ）、ＬＥＤ光源が用いられる。低消費電力化のためにはＬＥＤ光源を用いることが望ましい。
【００２２】
タッチパネル６は、表示パネル５の前面側に配される透明の静電容量型のタッチセンサである。このタッチパネル６はユーザからの入力を受け付ける。例えば、表示パネル５が、ユーザに三択させるためのボタン画像を表示している場合、ユーザがタッチパネル６のボタン画像に対応する位置をタッチした場合、ユーザによる入力がなされたものとみなされる。
【００２３】
受信部１は、外部のコンテンツサーバ（例えば、ＡＳＰサーバ、パソコンなど）あるいは放送局から無線通信（例えば、ＷｉＭＡＸ、ＩＥＥＥ８０２．１１ｂ／ｇなどの方式）により送信される信号を受信するアンテナと、アンテナで受信した信号に対し復調処理などを行う信号処理部などを備える。例えば、無線信号がＯＦＤＭ方式により変調されて伝送されたＭＰＥＧ２−ＴＳ形式の信号であれば、受信部１はＯＦＤＭ復調を行い、ＭＰＥＧ２−ＴＳ信号を抽出する。抽出されたＭＰＥＧ２−ＴＳ信号は、蓄積部２へ出力される。また、受信部１は、天気予報情報も受信可能である。天気予報情報は後述する省エネルギー制御に使用される。
【００２４】
蓄積部２は、受信部１により抽出されたコンテンツ、受信された天気予報情報等を保存する。コンテンツがリアルタイムコンテンツである場合（受信したコンテンツを即時に表示パネル５で表示するような場合）、蓄積部２はバッファメモリとして機能する。コンテンツがユーザの操作に応じて表示されるコンテンツ、あるいは予め設定されたタイムスケジュールに基づいて表示されるコンテンツである場合、蓄積部２はストレージメディアとして機能する。
【００２５】
表示制御部３は、表示パネル５における表示制御を行う。具体的には、表示させるコンテンツの内容に応じて、表示パネル５の各画素に対応する液晶の変調を行う。表示制御部３は高速な処理を必要とするため、ＣＰＵにより構成される制御部８とは別に設けられた専用のハードウェア回路により実現される。
【００２６】
電源回路７は、表示装置３０の各部に対し電源供給を行う。なお、表示パネル５、バックライト４における消費電力が他の部分と比して大きいことに鑑み、図２では、電源回路７は、表示パネル５、バックライト４に対してのみ電源供給を行うがごとく記載している。しかし、実際は、電源回路７は、受信部１、蓄積部２、表示制御部３、タッチパネル６などにも電力を供給する。
【００２７】
図３は、コントローラ４０の構成を示すブロック図である。コントローラ４０は、切替部４１と、制御部４２と、スイッチ４３とを有する。切替部４１は、太陽電池１０で発電された電力のうち、表示装置３０へ出力するか、蓄電池５０へ出力するかを切替えるためのものである。切替部４１は、後述するように制御部４２により制御される。この切替部４１は、２者択一的に出力先を決定するスイッチ構成であってもよい。あるいは、表示装置３０へ出力する比率と、蓄電池５０へ出力する比率を可変できる構成であってもよい。
【００２８】
制御部４２は、コントローラ４０内部の様々な制御を行う。また、表示装置３０からの制御情報を受信したり、表示装置３０への制御信号を送信したりする。
【００２９】
スイッチ４３は、蓄電池５０に蓄電された電力を表示装置３０へ出力するか否かを切替えるためのものである。このスイッチ４３についても、後述するように制御部４２により制御される。
【００３０】
次に、このような構成である屋外表示システム１００における省エネルギー制御に関して図４で示すフローチャートを用いて説明する。
【００３１】
まず、ステップ４０で、制御部８は、蓄積部２に保存された天気予報情報を読出し、読み出した天気予報情報のうち、屋外表示システム１００の設置地域に対応する天気情報を確認する。ここでは、天気情報とは、晴天、曇天、雨天のいずれかを示す情報とする。
【００３２】
そして、天気情報がもし雨天または曇天を示している場合は（ステップＳ４１のＹ）、後に雨天または曇天になる可能性が高いとして、ステップＳ４２に進み、制御部８は、省エネルギーモードでの運転を開始する。省エネルギーモードでの運転とは、例えば、バックライト４の輝度を通常時よりも低い輝度に設定するような制御を行うことである。また、このとき、コントローラ４０の制御部４２は、制御部８からの指示を受けて、切替部４１を制御し、太陽電池１０が出力する電力のうち蓄電池５０へ出力する比率を高めに設定する。
【００３３】
一方、天気情報がもし晴天を示している場合は（ステップＳ４１のＮ）、ステップＳ４３に進み、制御部８は、通常モードでの運転を開始する。また、このとき、コントローラ４０の制御部４２は、制御部８からの指示を受けて、切替部４１を制御し、太陽電池１０が出力する電力のうち蓄電池５０へ出力する比率を低めに設定する。
【００３４】
なお、図４のフローチャートでは示していないが、雨天時、曇天時、夜間時など太陽電池１０による発電量が少ないか全く無い場合、制御部４２は、スイッチ４３を制御し、蓄電池５０に蓄電された電力が表示装置３０へ供給されるように制御する。また、快晴時など太陽電池１０による発電量が大きい場合、制御部４２は、蓄電池５０で蓄電された電力が表示装置３０へ供給されないようスイッチ４３を制御する。
【００３５】
このように、雨天または曇天になる可能性が高い場合は、予め運転モードを省エネルギーモードとし、蓄電池５０に多くの電力を蓄電するように制御する。よって、後に雨天または曇天となり、蓄電池５０の電力を使用する場合でも蓄電池５０に蓄電された電力がなくなることを抑え、表示装置３０の動作を安定的に継続できる。
【００３６】
図５は、屋外表示システム１００における省エネルギー制御の別の実施形態を示すフローチャートである。
【００３７】
まず、ステップ５０で、制御部８は、蓄積部２に保存された天気予報情報を読出し、読み出した天気予報情報のうち、屋外表示システム１００の設置地域に対応する降水確率情報を確認する。
【００３８】
そして、もし降水確率が所定値（例えば５０％等）を超えている場合（ステップＳ５１のＹ）、後に雨天または曇天になる可能性が高いとして、ステップＳ５２に進み、制御部８は、省エネルギーモードでの運転を開始する。また、このとき、コントローラ４０の制御部４２は、制御部８からの指示を受けて、切替部４１を制御し、太陽電池１０が出力する電力のうち蓄電池５０へ出力する比率を高めに設定する。
【００３９】
一方、もし降水確率が所定値以下である場合は（ステップＳ５１のＮ）、ステップＳ５３に進み、制御部８は、通常モードでの運転を開始する。また、このとき、コントローラ４０の制御部４２は、制御部８からの指示を受けて、切替部４１を制御し、太陽電池１０が出力する電力のうち蓄電池５０へ出力する比率を低めに設定する。
【００４０】
このような実施形態によっても、後に雨天または曇天になった場合でも、表示装置３０の動作を安定的に継続できる。
【００４１】
以上、本発明の実施形態について説明したが、本発明の趣旨の範囲内であれば、実施形態は種々変更が可能である。
【００４２】
例えば、天気予報情報を受信する受信部１は、表示装置３０内部に設ける代わりにコントローラ４０内部に設けてもよいし、表示装置３０およびコントローラ４０とは別体の専用受信装置としてもよい。
【００４３】
また、表示装置３０の表示部として液晶表示パネルを例として説明したが、これに代えて、プラズマパネル、有機ＥＬ、電子ペーパー、ＣＲＴあるいは広告フィルムなどでもよい。
【符号の説明】
【００４４】
１０  太陽電池
２０  設置台
３０  表示装置
４０  コントローラ
５０  蓄電池
１００  屋外表示システム
【図１】
2012118207.tif 000003
【図２】
2012118207.tif 000004
【図３】
2012118207.tif 000005
【図４】
2012118207.tif 000006
【図５】
2012118207.tif 000007